(57)【要約】【課題】縦置き画像と横置き画像を立体表示させる場合でも、フリッカの発生を抑制する。【解決手段】  複数の走査線と複数のデータ線との交差に対応して画素が設けられた表示領域と、前記表示領域に対向配置されて、前記表示領域の第１の方向に隣接する画素同士に視差を生じさせる第１の視差発生手段と、前記表示領域に対向配置されて、前記表示領域の前記第１の方向とは異なる第２の方向に隣接する画素同士に視差を生じさせる第２の視差発生手段と、前記第１の視差発生手段を用いた第１の表示モード時と前記第２の視差発生手段を用いた第２の表示モード時とで、前記画素に対する交流化駆動方法を変更する駆動回路３５と、を具備したことを特徴とする。【選択図】      図１
2007094027.tif 000002
【特許請求の範囲】
【請求項１】
複数の走査線と複数のデータ線との交差に対応して画素が設けられた表示領域と、
前記表示領域に対向配置されて、前記表示領域の第１の方向に隣接する画素同士に視差を生じさせる第１の視差発生手段と、
前記表示領域に対向配置されて、前記表示領域の前記第１の方向とは異なる第２の方向に隣接する画素同士に視差を生じさせる第２の視差発生手段と、
前記第１の視差発生手段を用いた第１の表示モード時と前記第２の視差発生手段を用いた第２の表示モード時とで、前記画素に対する交流化駆動方法を異ならせる駆動回路と、
を具備したことを特徴とする電気光学装置。
【請求項２】
前記第１の視差発生手段は、前記第１の方向に隣接する画素同士において、右側用の画像と左側用の画像とを表示可能可能にし、
前記第２の視差発生手段は、前記第２の方向に隣接する画素同士において、前記右側用の画像と前記左側用の画像とを表示可能にし、
前記駆動回路は、
前記右側用の画像を表示する画素のうち正極性駆動する画素と負極性駆動する画素とを１画面の表示期間内に同時に発生させると共に、
前記左側用の画像を表示する画素のうち正極性駆動する画素と負極性駆動する画素とを１画面の表示期間内に同時に発生させることを特徴とする請求項１に記載の電気光学装置。
【請求項３】
前記走査線の延在方向に、左目用画素と右目用画素とが交互に配置された第１の表示モードと、前記走査線の延在方向に交差する方向に、奇数走査線において左目用画素と偶数走査線において右目用画素とが配置された第２の表示モードとが切り換え可能であり、
前記駆動回路は、
前記第１の表示モード時において、前記表示領域における画素を１走査線毎に極性反転駆動し、
前記第２の表示モード時において、前記表示領域における画素を２走査線毎に極性反転駆動することを特徴とする請求項１に記載の電気光学装置。
【請求項４】
前記表示領域は、画像の水平方向が前記走査線の延在方向に一致した第１の表示モードと画像の水平方向が前記走査線の延在方向に直交した第２の表示モードとによる表示が可能であり、
前記駆動回路は、
前記第１の表示モード時に、前記表示領域における画素を１走査線毎に極性反転駆動し、
前記第２の表示モード時に、前記表示領域における画素をドット反転駆動することを特徴とする請求項１に記載の電気光学装置。
【請求項５】
複数の走査線と複数のデータ線との交差に対応して画素が設けられた表示領域を備えた電気光学装置の駆動方法において、
前記表示領域に対向配置されて、前記表示領域の第１の方向に隣接する画素同士に視差を生じさせる第１の視差発生手段と、前記表示領域に対向配置されて、前記表示領域の前記第１の方向とは異なる第２の方向に隣接する画素同士に視差を生じさせる第２の視差発生手段と、を備え、
前記第１の視差発生手段を用いた第１の表示モード時と前記第２の視差発生手段を用いた第２の表示モード時とで、前記画素に対する駆動方法を異ならせることを特徴とする電気光学装置の駆動方法。
【請求項６】
複数の走査線と複数のデータ線との交差に対応して画素が設けられた表示領域と、
前記表示領域に対向配置されて前記表示領域の第１の方向に隣接する画素同士に視差を生じさせる第１の視差発生手段を用いた第１の表示モード時と、前記表示領域に対向配置されて前記表示領域の前記第１の方向とは異なる第２の方向に隣接する画素同士に視差を生じさせる第２の視差発生手段を用いた第２の表示モード時とで、前記画素に対する交流化駆動方法を異ならせる駆動回路と、
を具備したことを特徴とする電気光学装置。
【発明の詳細な説明】
【技術分野】
【０００１】
本発明は、立体表示を可能にする液晶表示パネルに好適な電気光学装置及びその駆動方法に関する。
【背景技術】
【０００２】
従来、３次元の立体画像を表示することが可能な３次元画像表示装置が開発されている。例えば、特許文献１においては、表示パネルの観察者側にスリット状の開口部及び遮光部が設けられたパララックスバリアを配置することによって、観察者に立体画像を提示可能な立体画像表示装置が提案されている。
【０００３】
パララックスバリアは、表示パネルの各画素配置に応じた複数のスリットを有する。表示パネルには画素がマトリクス状に配置されており、観察者は、パララックスバリアのスリット状の開口部を介して、表示パネル上の画像を観察する。
【０００４】
この場合において、パララックスバリアのスリットの位置及び観察者の目の位置を適宜設定することによって、観察者の右目に、左右に隣接する画素のうちの一方の画素からの光を入射させ、左目に他方の画素からの光を入射させることができる。
【０００５】
これらの左右に隣接する画素の一方を右目用の画像信号で駆動し、他方を左目用の画像信号で駆動することによって、観察者の左右の目に、夫々左目用又は右目用の画像を観察させることができる。
【０００６】
右目用の画像及び左目用の画像として、３次元画像の右目用及び左目用画像を設定することで、観察者は立体画像を観察することが可能となる。
【０００７】
なお、右目用の画像及び左目用の画像に代えて、２ビュー（Ｖｉｅｗ）画像の２つの画像を設定することで、２人の観察者によって２Ｖｉｅｗ画像を観察することも可能となる。
【特許文献１】特開平７−１０４２１２号公報
【発明の開示】
【発明が解決しようとする課題】
【０００８】
ところで、近年、表示パネルを横置き、縦置きの２方向の向きに用いて、横置き画像、縦置き画像の表示を可能にした表示パネルが開発されている。例えば、２枚のガラス基板相互間に液晶を介在させて表示領域を構成した液晶表示装置によって、このような縦置き及び横置き画像を表示させることができる。
【０００９】
ところで、このような液晶表示装置においては、液晶に対する直流電圧の印加によって、例えば、液晶成分の分解、液晶セル中に発生した不純物による汚染、表示画像の焼き付き等の液晶の劣化が生じる。そこで、一般的には、各画素の駆動電圧の極性を例えば表示データを１フレーム毎に反転させるフレーム反転駆動が採用される。
【００１０】
画像表示領域を構成する全画素電極の駆動電圧の極性を単純に一定周期で反転させると、特に画素数が多い場合に、一定周期のフリッカやクロストークが発生してしまう。そこで、一定周期のフリッカやクロストークの発生を防止するために、画面内で駆動電圧の極性を正と負で分散させる方法、即ち、画素電極の行毎に極性を反転させる１Ｈ反転駆動（ライン反転駆動）方式が開発されている。
【００１１】
このように、１Ｈ反転駆動では、走査線毎に正極性で駆動される画素と負極性で駆動される画素とが交互に現れる。走査線が水平方向に延出されている縦置きの液晶表示装置の場合には、上下のラインで交流化駆動の極性が相互に異なることになる。また、この液晶表示装置を横置きで用いると、走査線は垂直方向に延出されることになり、左右のラインで交流化駆動の極性が異なることになる。
【００１２】
この場合でも、通常の表示モードにおいては、特には問題は生じない。ところが、３Ｄ表示又は２Ｖｉｅｗ表示を行う場合には、パララックスバリアのスリットを人間の左右の目を結ぶ方向、即ち、水平方向に配置する必要がある。この場合、横置きを採用して、左右のラインで交流化駆動の極性が異なると、一方の目で負極性で駆動された画素が観察され、他方の目で正極性で駆動された画素が観察されることになる。即ち、一方の目は、全画素が負極性で駆動された画像を観察し、他方の目は、全画素が正極性で駆動された画像を観察することになる。
【００１３】
従って、この場合には、人間の目には、ライン反転駆動は行われないことと同様となり、フリッカが目立ってしまうという問題があった。
【００１４】
本発明はかかる問題点に鑑みてなされたものであって、縦置きと横置きとで交流化駆動方法を変更することによって、フリッカのない立体画像及び２Ｖｉｅｗ画像を得ることができる電気光学装置及び電気光学装置の駆動方法を提供することを目的とする。
【課題を解決するための手段】
【００１５】
本発明に係る電気光学装置は、複数の走査線と複数のデータ線との交差に対応して画素が設けられた表示領域と、前記表示領域に対向配置されて、前記表示領域の第１の方向に隣接する画素同士に視差を生じさせる第１の視差発生手段と、前記表示領域に対向配置されて、前記表示領域の前記第１の方向とは異なる第２の方向に隣接する画素同士に視差を生じさせる第２の視差発生手段と、前記第１の視差発生手段を用いた第１の表示モード時と前記第２の視差発生手段を用いた第２の表示モード時とで、画素に対する交流化駆動方法を異ならせる駆動回路と、を具備したことを特徴とする。
【００１６】
このような構成によれば、第１の視差発生手段は、表示領域に対向配置されて、表示領域の第１の方向に隣接する画素同士に視差を生じさせる。また、第２の視差発生手段は、表示領域に対向配置されて、表示領域の前記第１の方向とは異なる第２の方向に隣接する画素同士に視差を生じさせる。第１の表示モード時には、第１の視差発生手段を用いた表示が行われる。また、第２の表示モード時には、第２の視差発生手段を用いた表示が行われる。駆動回路は、これらの第１の表示モード時と、第２の表示モード時とで、画素に対する交流化駆動方法を異ならせる。視差を生じさせる隣接画素同士は、表示領域において第１の方向に配置されるか又は第２の方向に配置される。このため、画面内の交流化駆動方法が固定されている場合には、第１及び第２の表示モードの一方において、視差を生じさせる隣接画素同士の一方が常に同一極性で駆動される虞がある。しかし、駆動回路は、第１及び第２の表示モードにおいて、交流化駆動方法を異ならせており、視差を生じさせる隣接画素同士の一方を１画面内で異なる極性で駆動することが可能である。これにより、フリッカを抑制することができる。
【００１７】
また、前記第１の視差発生手段は、前記第１の方向に隣接する画素同士において、右側用の画像と左側用の画像とを表示可能にし、前記第２の視差発生手段は、前記第２の方向に隣接する画素同士において、前記右側用の画像と前記左側用の画像とを表示可能にし、前記駆動回路は、前記右側用の画像を表示する画素のうち正極性駆動する画素と負極性駆動する画素とを１画面の表示期間内に同時に発生させると共に、前記左側用の画像を表示する画素のうち正極性駆動する画素と負極性駆動する画素とを１画面の表示期間内に同時に発生させることを特徴とする。
【００１８】
このような構成によれば、表示領域には、右側用の画像と左側用の画像とが第１の方向又は第２の方向に隣接配置される。駆動回路は、右側用の画像を表示する画素のうち正極性駆動する画素と負極性駆動する画素とを１画面の表示期間内に同時に発生させ、左側用の画像を表示する画素のうち正極性駆動する画素と負極性駆動する画素とを１画面の表示期間内に同時に発生させる。これにより、フリッカが抑制される。
【００１９】
また、前記走査線の延在方向に、左目用画素と右目用画素とが交互に配置された第１の表示モードと、前記走査線の延在方向に交差する方向に、奇数走査線において左目用画素と偶数走査線において右目用画素とが配置された第２の表示モードとが切り換え可能であり、前記駆動回路は、前記第１の表示モード時に、前記表示領域における画素を１走査線毎に極性反転駆動し、前記第２の表示モード時に、前記表示領域における画素をドット反転駆動することを特徴とする。
【００２０】
このような構成によれば、第１の表示モードでは、走査線の延在方向に隣接した画素同士に視差が生じる。この場合には、ライン反転駆動が行われるので、これらの隣接した２つの画素は、１画面内において、正極性駆動されると共に負極性駆動される。これにより、フリッカが抑制される。また、第２の表示モードでは、走査線の延在方向と直交した方向に隣接した画素同士に視差が生じる。この場合には、２ライン反転駆動が行われるので、これらの隣接した２つの画素は、１画面内において、正極性駆動されると共に負極性駆動される。これにより、フリッカが抑制される。
【００２１】
また、前記表示領域は、画像の水平方向が前記走査線の延在方向に一致した第１の表示モードと画像の水平方向が前記走査線の延在方向に直交した第２の表示モードとによる表示が可能であり、前記駆動回路は、前記第１の表示モード時に、前記表示領域をライン反転駆動し、前記第２の表示モード時に、前記表示領域をドット反転駆動することを特徴とする。
【００２２】
このような構成によれば、第１の表示モードでは、走査線の延在方向に隣接した画素同士に視差が生じる。この場合には、ライン反転駆動が行われるので、これらの隣接した２つの画素は、１画面内において、正極性駆動されると共に負極性駆動される。これにより、フリッカが抑制される。また、第２の表示モードでは、走査線の延在方向と直交した方向に隣接した画素同士に視差が生じる。この場合には、ドット反転駆動が行われるので、これらの隣接した２つの画素は、１画面内において、正極性駆動されると共に負極性駆動される。これにより、フリッカが抑制される。
【００２３】
本発明に係る電気光学装置の駆動方法は、複数の走査線と複数のデータ線との交差に対応して画素が設けられた表示領域を備えた電気光学装置の駆動方法において、前記表示領域に対向配置されて、前記表示領域の第１の方向に隣接する画素同士に視差を生じさせる第１の視差発生手段と、前記表示領域に対向配置されて、前記表示領域の前記第１の方向とは異なる第２の方向に隣接する画素同士に視差を生じさせる第２の視差発生手段と、を備え、前記第１の視差発生手段を用いた第１の表示モード時と前記第２の視差発生手段を用いた第２の表示モード時とで、前記画素に対する駆動方法を異ならせることを特徴とする。
【００２４】
このような構成によれば、第１の表示モード時と、第２の表示モード時とで、画素に対する交流化駆動方法が異ならされる。視差を生じさせる隣接画素同士は、表示領域において第１の方向に配置されるか又は第２の方向に配置される。しかし、画面内の交流化駆動方法がモードに応じて異ならされるので、視差を生じさせる隣接画素同士の一方を１画面内で異なる極性で駆動することが可能である。これにより、フリッカを抑制することができる。
【発明を実施するための最良の形態】
【００２５】
以下、図面を参照して本発明の実施の形態について詳細に説明する。図１は本発明の一実施の形態に係る電気光学装置を示すブロック図である。本実施の形態は電気光学装置として、例えば、ＴＦＴ（Thin Film Transistor：薄膜トランジスタ）を用いた液晶表示装置に適用した例を示している。図２は液晶表示装置の全体構造を概略的に示す斜視図である。
【００２６】
本実施の形態においては、表示パネル上の画像の向きが表示パネルの縦方向に一致した縦置き画像と、この縦置き画像に表示パネル上の画像の向きが直交する横置き画像とを表示可能な電気光学装置に適用したものである。更に、本実施の形態は、縦置き画像及び横置き画像のいずれについても立体表示又は２Ｖｉｅｗ表示が可能な電気光学装置に適用したものである。
【００２７】
このような縦置き画像及び横置き画像のいずれについても立体表示又は２Ｖｉｅｗ表示が可能な電気光学装置として、本件出願人は先に出願した特願２００５−１３１２７３号（以下、文献２という）において、表示パネルに光を照射する光源からの光を、第１の偏光軸を有する光と、第２の偏光軸を有する光とに分離する偏光軸制御手段を備えた画像表示装置を提案している。
【００２８】
本実施の形態はこの文献２の技術を利用することで、立体表示又は２Ｖｉｅｗ表示を得るものとする。先ず、図１２乃至図１６を参照して表示パネルを表示パネルの縦方向を垂直方向に向けた縦向き配置及び表示パネルの縦方向を水平方向に向けた横向き配置で用いる文献２の画像表示装置について説明する。
【００２９】
図１２は文献２の画像表示装置を示す分解斜視図である。図１３は、図１２に示す表示パネルを縦向き（図１２の状態）に配置した場合の立体画像表示時において観察者が表示パネルを見た状態を上方から示した図である。図１４は、図１２に示す表示パネルを横向き（図１２を９０°回転させた状態）に配置した場合の立体画像表示時において観察者が表示パネルを見た状態を上方から示した図である。図１５及び図１６は、図１２に示す画像表示装置の構成を説明するための図である。
【００３０】
図１２において、画像表示装置１は、図１２〜図１４に示すように、バックライト２と、バックライト２の光出射側に配置され、画像を表示する液晶表示パネルからなる表示パネル３と、表示パネル３を挟み込むように配置される偏光板４および５と、偏光板５の光出射側に配置される偏光制御液晶パネル６と、偏光制御液晶パネル６の光出射側に配置される偏光板７とを備えている。
【００３１】
バックライト２は、偏光板４に光を照射する機能を有する。また、偏光板４は、観察者１０側から見て約１３５°の偏光軸を有するように設定されているので、観察者１０側から見て約１３５°の偏光軸を有する光のみを透過する機能を有する。以下、特に記載のない限り、偏光軸の角度は、観察者１０側から見た角度を示す。なお、本実施の形態では、偏光軸の角度は、表示パネル３を縦向きに配置した状態における角度を示す。
【００３２】
表示パネル３は、ＯＦＦ状態で、入射した光の偏光軸を約９０°変化させた状態で出射させ、ＯＮ状態で、入射した光の偏光軸をほぼ変化させないで出射させるＴＮ液晶パネルからなる。この表示パネル３は、図１５に示すように、赤色（Ｒ）、緑色（Ｇ）および青色（Ｂ）の光の３原色をそれぞれ表示するための３つのドット領域３ａ〜３ｃからなる複数の画素領域３ｄと、光の３原色をそれぞれ表示するための３つのドット領域３ｅ〜３ｇからなる複数の画素領域３ｈとを有している。また、表示パネル３を縦向きに配置した場合には、ドット領域３ａ〜３ｃおよび３ｅ〜３ｇに表示される左目用画像Ｌ１および右目用画像Ｒ１は、階段状の一例である千鳥格子状に配置されている。具体的には、図１５に示した各ドット領域３ａ〜３ｃおよび３ｅ〜３ｇにおいて、左目用画像Ｌ１の表示領域は、ハッチング（斜線）領域で示されており、右目用画像Ｒ１の表示領域は、ハッチング（斜線）の施されていない非ハッチング領域で示されている。また、ハッチング領域に位置する左目用画像Ｌ１は、斜め方向（図１５のＣ方向）にＲＧＢのドット領域３ａ〜３ｃおよび３ｅ〜３ｇが連続するように表示される。また、非ハッチング領域に位置する右目用画像Ｒ１も、斜め方向（図１５のＣ方向）にＲＧＢのドット領域が連続するように表示される。そして、左目用画像Ｌ１と右目用画像Ｒ１とは、ＲＧＢのドット領域が連続するように延びる斜め方向（図１５のＣ方向）に交差する方向に交互に表示される。
【００３３】
また、表示パネル３を横向きに配置した場合には、図１６に示すように、光の３原色（ＲＧＢ）に対応するドット領域３ａ〜３ｃおよび３ｅ〜３ｇは、それぞれ、観察者１０（図１４参照）の左目１０ａと右目１０ｂとを結んだ線分に対して実質的に垂直方向（縦方向）（Ａ方向）に延びるように配置される。図１６に示した横向き配置の場合には、ハッチング（斜線）領域で示される左目用画像Ｌ２、および、非ハッチング領域で示される右目用画像Ｒ２は、それぞれ、縦方向（Ａ方向）にＲＧＢのドット領域３ａ〜３ｃおよび３ｅ〜３ｇが連続して延びるように表示される。そして、図１６に示した横向き配置の場合には、縦方向（Ａ方向）に延びる左目用画像Ｌ２と右目用画像Ｒ２とは、横方向（Ｂ方向）に交互に表示される。
【００３４】
偏光板５は、図１２に示すように、約４５°の偏光軸を有するように設定されているので、約４５°の偏光軸を有する光のみを透過する機能を有する。
【００３５】
ここで、本実施の形態では、図１７および図１８に示すように、偏光制御液晶パネル６は、一対の透明基板６ａおよび６ｂと、バックライト２（図１２参照）側の透明基板６ａに形成される電極６ｃおよび６ｄと、観察者１０（図１２参照）側の透明基板６ｂに形成される電極６ｅおよび６ｆと、一対の透明基板６ａおよび６ｂの間に配置される液晶６ｇ（図１８参照）とを含んでいる。
【００３６】
また、本実施の形態では、表示パネル３を縦向きに配置した場合に、電極６ｃおよび６ｄは、それぞれ、階段状の一例である千鳥格子状に配置されたドット領域３ａ〜３ｃ（図１５参照）および３ｅ〜３ｇ（図１５参照）に対応するように、図１７のＡ方向およびＢ方向の両方に対して交差するＣ方向に沿って配置されている。この電極６ｃは、図１３に示すように、表示パネル３の左目用画像Ｌ１が表示される領域（ハッチング領域）と観察者１０の左目１０ａとを結んだ線上に配置されるとともに、表示パネル３の右目用画像Ｒ１が表示される領域（非ハッチング領域）と観察者１０の右目１０ｂとを結んだ線上に配置される。そして、電極６ｄは、表示パネル３の左目用画像Ｌ１が表示される領域（ハッチング領域）と観察者１０の右目１０ｂとを結んだ線上に配置されるとともに、表示パネル３の右目用画像Ｒ１が表示される領域（非ハッチング領域）と観察者１０の左目１０ａとを結んだ線上に配置される。以下、特に記載のない限り、左目１０ａおよび右目１０ｂは、観察者１０の左目１０ａおよび右目１０ｂを示す。
【００３７】
また、本実施形態では、図１８に示すように、表示パネル３を横向きに配置した場合に、電極６ｅおよび６ｆは、それぞれ、左目１０ａと右目１０ｂ（図１４参照）とを結んだ方向（Ｂ方向）に対して実質的に垂直方向（Ａ方向）に延びるようにストライプ状に形成されている。この電極６ｅおよび６ｆのＢ方向の長さ（幅）は、表示パネル３の画素領域３ｄ（図１５参照）および３ｈ（図１５参照）のＢ方向の長さに実質的に対応するように設定されている。また、電極６ｅおよび６ｆのＡ方向に延びるように形成された部分は、Ｂ方向に沿った方向に所定の間隔を隔てて形成されている。また、電極６ｅは、図１４に示すように、表示パネル３の左目用画像Ｌ２が表示される領域（ハッチング領域）と左目１０ａとを結んだ線上に配置されるとともに、表示パネル３の右目用画像Ｒ２が表示される領域（非ハッチング領域）と右目１０ｂとを結んだ線上に配置される。そして、電極６ｆは、表示パネル３の左目用画像Ｌ２が表示される領域（ハッチング領域）と右目１０ｂとを結んだ線上に配置されるとともに、表示パネル３の右目用画像Ｒ２が表示される領域（非ハッチング領域）と左目１０ａとを結んだ線上に配置される。
【００３８】
（縦向き配置時の立体画像表示モード）
まず、バックライト２（図１３参照）から照射された光は、偏光板４により、約１３５°の偏光軸を有する光のみを透過する。そして、約１３５°の偏光軸を有する光が、表示パネル３のドット領域３ａ〜３ｃおよび３ｅ〜３ｇに入射する。この場合、図１５に示すように、ドット領域３ａ〜３ｃおよび３ｅ〜３ｇのうちのハッチング（斜線）領域には、左目用画像Ｌ１（図１３参照）が表示されているとともに、ドット領域３ａ〜３ｃおよび３ｅ〜３ｇのうちの非ハッチング領域には、右目用画像Ｒ１（図１３参照）が表示されている。また、表示パネル３に入射した光は、表示パネル３により、入射光に対して偏光軸が９０°変化した状態で出射される。すなわち、表示パネル３を透過した光は、偏光軸が約４５°に変化された状態で出射される。そして、表示パネル３を出射した光は、約４５°の偏光軸を有する偏光板５を透過する。その後、偏光板５を透過した光は、偏光制御液晶パネル６に入射する。ここで、縦向き配置時の立体画像表示モードでは、上述したように、液晶６ｇの電極６ｃが形成される部分（図１５のハッチング領域に相当）がＯＮ状態となり、このハッチング領域を透過する光は偏光軸が変化されずに通過する。これに対して、ハッチング領域以外の領域は電圧が生じずＯＦＦ状態のままとなり、透過する光の偏光軸が９０°変化されて通過する。
【００３９】
すなわち、偏光制御液晶パネル６に入射した約４５°の偏光軸を有する光のうち、電極６ｃが形成されるＯＮ状態のハッチング領域（図１５参照）に入射した光は、偏光軸が変化されずに出射し、約４５°の偏光軸を有する偏光板７を透過する。この場合、電極６ｃは、図１３に示すように、表示パネル３の左目用画像Ｌ１が表示される領域と、左目１０ａとを結ぶ線上に配置されているので、左目用画像Ｌ１を左目１０ａに入射することが可能となる。また、電極６ｃは、表示パネル３の右目用画像Ｒ１が表示される領域と、右目１０ｂとを結ぶ線上に配置されているので、右目用画像Ｒ１を右目１０ｂに入射することが可能となる。
【００４０】
一方、偏光制御液晶パネル６に入射した約４５°の偏光軸を有する光のうち、電極６ｃが形成されるハッチング領域（図１５参照）以外のＯＦＦ状態の領域に入射した光は、偏光軸が９０°変化され、約１３５°の偏光軸を有する光となり、約４５°の偏光軸を有する偏光板７に遮光される。この場合、電極６ｄは、図１３に示すように、表示パネル３の左目用画像Ｌ１が表示される領域と、右目１０ｂとを結ぶ線上に配置されているので、左目用画像Ｌ１が左目１０ａに入射するのを抑制することが可能となる。また、電極６ｄは、表示パネル３の右目用画像Ｒ１が表示される領域と、左目１０ａとを結ぶ線上に配置されているので、右目用画像Ｒ１が左目１０ａに入射するのを抑制することが可能となる。
【００４１】
上記のように、縦向き配置時において、左目１０ａおよび右目１０ｂに、それぞれ、左目用画像Ｌ１および右目用画像Ｒ１が入射されることにより、観察者１０は、立体画像を見ることが可能となる。
【００４２】
（横向き配置時の立体画像表示モード）
まず、バックライト２（図１４参照）から照射された光は、偏光板４により、約１３５°の偏光軸を有する光のみを透過する。なお、横向き配置時には、縦向き配置時に比べて偏光軸が９０°ずつ回転するが、本実施形態では、簡略化のため、横向き配置時においても、縦向き配置時の偏光軸の角度をそのまま用いて説明する。そして、約１３５°の偏光軸を有する光が、表示パネル３のドット領域３ａ〜３ｃおよび３ｅ〜３ｇに入射する。この場合、図１６に示すように、ドット領域３ａ〜３ｃおよび３ｅ〜３ｇのうちのハッチング（斜線）領域には、左目用画像Ｌ２（図１４参照）が表示されているとともに、ドット領域３ａ〜３ｃおよび３ｅ〜３ｇのうちの非ハッチング領域には、右目用画像Ｒ２（図１４参照）が表示されている。また、表示パネル３に入射した光は、表示パネル３により、入射光に対して偏光軸が９０°変化した状態で出射される。すなわち、表示パネル３を透過した光は、偏光軸が約４５°に変化された状態で出射される。そして、表示パネル３を出射した光は、約４５°の偏光軸を有する偏光板５を透過する。その後、偏光板５を透過した光は、偏光制御液晶パネル６に入射する。ここで、横向き配置時の立体画像表示モードでは、上述したように、液晶６ｇの電極６ｅが形成される部分（図１６のハッチング領域に相当）がＯＮ状態となり、このハッチング領域を透過する光は偏光軸が変化されずに通過する。これに対して、ハッチング領域以外の領域は電圧が生じずＯＦＦ状態のままとなり、透過する光の偏光軸が９０°変化されて通過する。
【００４３】
すなわち、偏光制御液晶パネル６に入射した約４５°の偏光軸を有する光のうち、電極６ｅが形成されるＯＮ状態のハッチング領域（図１６参照）に入射した光は、偏光軸が変化されずに出射し、約４５°の偏光軸を有する偏光板７を透過する。この場合、電極６ｅは、図１４に示すように、表示パネル３の左目用画像Ｌ２が表示される領域と、左目１０ａとを結ぶ線上に配置されているので、左目用画像Ｌ２を左目１０ａに入射することが可能となる。また、電極６ｃは、表示パネル３の右目用画像Ｒ２が表示される領域と、右目１０ｂとを結ぶ線上に配置されているので、右目用画像Ｒ２を右目１０ｂに入射することが可能となる。
【００４４】
一方、偏光制御液晶パネル６に入射した約４５°の偏光軸を有する光のうち、電極６ｅが形成されるハッチング領域（図１６参照）以外のＯＦＦ状態の領域に入射した光は、偏光軸が９０°変化され、約１３５°の偏光軸を有する光となり、約４５°の偏光軸を有する偏光板７に遮光される。この場合、電極６ｄは、図１４に示すように、表示パネル３の左目用画像Ｌ２が表示される領域と、右目１０ｂとを結ぶ線上に配置されているので、左目用画像Ｌ２が左目１０ａに入射するのを抑制することが可能となる。また、電極６ｄは、表示パネル３の右目用画像Ｒ２が表示される領域と、左目１０ａとを結ぶ線上に配置されているので、右目用画像Ｒ２が左目１０ａに入射するのを抑制することが可能となる。
【００４５】
上記のように、横向き配置時において、左目１０ａおよび右目１０ｂに、それぞれ、左目用画像Ｌ２および右目用画像Ｒ２が入射されることにより、観察者１０は、立体画像を見ることが可能となる。
【００４６】
しかしながら、上述したように、図１６の横向き配置時に１Ｈ反転駆動を採用すると、左目用画像Ｌ２は常に例えば正極性駆動によるものとなり、右目用画像Ｒ２は常に例えば負極性駆動によるものとなって、フリッカが生じる。そこで、本実施の形態においては、表示パネル３として、図１及び図２に示す液晶表示装置３１を採用する。
【００４７】
＜構成＞
図２において、液晶表示装置３１は、一対の基板３２，３３を対向配置し、両基板相互間に液晶３４を封入した構成である。基板３２，３３には、水平方向に延在して設けられる複数の走査線３８と、垂直方向に延在して設けられる複数のデータ線３９との交差に対応して、画素がマトリクス状に配置されている。
【００４８】
破線太線で囲った表示領域３７においては、各画素に、データ線３８を介してデータ信号が供給され、走査線３９を介して走査信号が供給される。走査信号によって選択されたラインの各画素にデータ線３９を介してデータ信号が与えられる。これにより、基板３２，３３相互間の液晶３４の状態が変化して、各画素の透過率が表示データに応じて変化する。こうして、画像表示が行われる。
【００４９】
液晶表示装置３１を構成する素子基板３２上には、画素が構成された表示領域３７以外の領域において、走査線及びデータ線を駆動するためのドライバ部３５が形成されている。ドライバ部３５は、後述する走査線駆動回路２０（図１参照）及びデータ線駆動回路２１等を含んでおり、ＣＯＧ（Chip On Glass）技術により実装されている。走査線駆動回路２０は、走査線３８に走査信号を供給し、データ線駆動回路２１はデータ線３９にデータ信号を供給する。
【００５０】
また、素子基板３２上には、ＦＰＣ（Flexible Printed Circuit）基板３６等が取り付けられている。ＦＰＣ基板３６によって、データ信号やコマンド等の各種信号がドライバ部３５に供給されるようになっている。
【００５１】
図３は画素を構成する素子基板３２上の素子の等価回路を示している。図３に示すように、表示領域３７においては、複数本の走査線３８と複数本のデータ線３９とが交差するように配線され、走査線３８とデータ線３９とで区画された領域に画素電極９ａがマトリクス状に配置される。そして、走査線３８とデータ線３９の各交差部分に対応してＴＦＴ３０が設けられ、このＴＦＴ３０に画素電極９ａが接続される。
【００５２】
ＴＦＴ３０は走査線３８のＯＮ信号によってオンとなり、これにより、データ線３９に供給された画像信号が画素電極９ａに供給される。この画素電極９ａと基板３３に設けられた図示しない対向電極との間の電圧が液晶３４に印加される。また、画素電極９ａと並列に蓄積容量７０が設けられており、蓄積容量７０によって、画素電極９ａの電圧はソース電圧が印加された時間よりも例えば３桁も長い時間の保持が可能となる。蓄積容量７０によって、電圧保持特性が改善され、コントラスト比の高い画像表示が可能となる。
【００５３】
図１は図２中のドライバ部３５の具体的な構成を示している。なお、図１においては、図２の素子基板３２上に、ドライバ部３５の全ての構成が設けられているものとして説明しているが、その一部の構成のみを素子基板３２上に設ける構成を採用してもよい。例えば、データ線駆動回路２０及び走査線駆動回路２１のみを素子基板３２上に設け、他の構成要素は素子基板３２にＣＯＧ実装するのではなく、ＴＡＢ（Tape Automated Bonding）技術を用いて、ＴＣＰ（Tape Carrier Package）上に実装し、基板の所定位置に設けられる異方性導電膜により電気的及び機械的に接続する構成としてもよい。
【００５４】
図１において、ＭＰＵ１２は、ドライバ部３５全体を制御する。ＭＰＵ１２には表示データ及び各種コマンドが入力される。ＭＰＵ１２に入力される表示データは、立体画像用又は２Ｖｉｅｗ画像用のものである。例えば、立体画像用の表示データは、左右に隣接する画素の一方が右目用であり、他方が左目用である。Ｉ／Ｆ制御回路１３は、ＦＰＣ基板３６を介して入力される信号と液晶表示装置３１内部で扱う信号とのインタフェースを行う。コマンドデコーダ１４は、入力されたコマンドを解析して、解析結果に基づく制御を行うための信号を各部に供給する。例えば、ＭＰＵ１２は、入力されたコマンドに従って、各種制御信号を発生して、ＶＲＡＭ制御回路１５及び発振制御回路１７等を制御する。
【００５５】
ＶＲＡＭ制御回路１５は、ＶＲＡＭ（ビデオメモリ）１６を有しており、ＭＰＵ１２に制御され、ＭＰＵ１２からの表示データをＶＲＡＭ１６に記憶させる。また、ＶＲＡＭ制御回路１５は、画像を画面上に表示させる場合には、ＶＲＡＭ１６から表示データを読み出して、データバスを介してデータ線駆動回路２０に供給する。
【００５６】
本実施の形態においては、ＶＲＡＭ制御回路１５は、ＭＰＵ１２に制御されて、縦置き画像を表示する縦置き画像表示モードと横置き画像を表示する横置き画像表示モードとに応じて、ＶＲＡＭ１６からの読み出すデータの配列を制御する。即ち、ＶＲＡＭ制御回路１５は、縦置き画像表示モード時には、縦置き画像の走査に応じたデータ順で表示データを読み出して出力し、横置き画像表示モード時には、横置き画像の走査に応じたデータ順で表示データを読み出して出力する。
【００５７】
なお、本実施の形態においては、縦置き画像表示モードは、画像の水平方向と走査線３８が延在する方向とが一致した状態で表示を行うモードとし、横置き画像表示モードは、画像の水平方向と走査線３８が延在する方向とが直交する状態で表示を行うモードとする。
【００５８】
発振制御回路１７は、発振回路１８を有しており、ＭＰＵ１２からのコマンドによって制御されて、クロックを発生させる。発振回路１８からのクロックはデータ線駆動回路２０及び走査線駆動回路２１に与えられる。
【００５９】
データ線駆動回路２０及び走査線駆動回路２１には電力制御回路２７から電力が供給される。また、データ線駆動回路２０及び走査線駆動回路２１にはＶＲＡＭ１６から読み出された表示データが供給される。
【００６０】
データ線駆動回路２０は、ＬＣＤ駆動回路２２、ガンマ補正回路２３及びタイミング制御回路２４によって構成されている。ガンマ補正回路２３は、入力された表示データをガンマ補正する。ＬＣＤ駆動回路２２は、ガンマ補正された表示データを対応する各データ線に供給する。この場合には、ＬＣＤ駆動回路２２は、タイミング制御回路２４からのタイミング信号に応じたタイミングでデータ線への書込みを行うようになっている。
【００６１】
本実施の形態においては、ＬＣＤ駆動回路２２は、画素電極に対する交流化駆動の駆動方法を、縦置き画像表示モードと横置き画像表示モードとで変更するようになっている。即ち、ＬＣＤ駆動回路２２は、縦置き画像表示モード時には、１Ｈ（Ｈは水平期間）で画素電極に供給する表示データの極性を反転させるライン反転駆動を採用する。また、ＬＣＤ駆動回路２２は、横置き画像表示モード時には、２Ｈで画素電極に供給する表示データの極性を反転させる２ライン反転駆動を採用する。なお、ＬＣＤ駆動回路２２は、横置き画像表示モード時には、上下左右に隣接する画素相互間で異なる極性の表示データを供給するドット反転駆動を採用してもよい。
【００６２】
タイミング制御回路２４は、発振回路１８からのクロックに基づいて、水平及び垂直同期信号を含む各種タイミング信号を発生して、ＬＣＤ駆動回路２２及びガンマ補正回路２３を制御するようになっている。
【００６３】
走査線駆動回路２１は、ＬＣＤ駆動回路２５及びタイミング制御回路２６によって構成されている。ＬＣＤ駆動回路２５は、走査信号を発生して各走査線に順次供給する。この場合には、ＬＣＤ駆動回路２５は、タイミング制御回路２６からのタイミング信号に応じたタイミングで各走査線に供給する走査信号を発生するようになっている。タイミング制御回路２６は、クロックに基づいて、水平及び垂直同期信号を含む各種タイミング信号を発生して、ＬＣＤ駆動回路２５を制御するようになっている。
【００６４】
なお、基板３３の対向電極に印加する共通電位ＣＯＭについても、画素電極９ａに供給する表示データの極性に応じた極性に設定される。即ち、ライン，２ライン反転駆動時には、共通電位ＣＯＭは、表示データの逆極性に設定され、ドット反転駆動時には、共通電位ＣＯＭは、正極性及び負極性表示データの略中間の電位に設定される。
【００６５】
＜作用＞
次に、このように構成された実施の形態の動作について図４乃至図１１を参照して説明する。図４及び図５は夫々縦置き画像又は横置き画像を説明するための説明図である。
【００６６】
本実施の形態においては、液晶表示装置３１の表示領域３７において、縦置き画像表示モードと横置き画像表示モードとを設定することができる。また、これらの表示モードは、立体表示又は２Ｖｉｅｗ表示を実現するものである。
【００６７】
図４及び図５は夫々縦置き画像又は横置き画像の表示例を示している。図４及び図５は単に画像の向きを説明するためのものであり、画像の縮尺、アスペクト比等については簡略化して表している。図４は画像４０の左右（水平）方向と走査線３８（図２参照）の延在方向が一致した縦置き画像を示している。一方、図５は画像４０の左右（水平）方向と走査線３８（図２参照）の延在方向が直交した横置き画像を示している。
【００６８】
ＭＰＵ１２には、表示データが供給される。ＭＰＵ１２は表示データをＶＲＡＭ制御回路１５に転送する。ＶＲＡＭ制御回路１５は、転送された表示データをＶＲＡＭ１６に記憶させる。
【００６９】
いま、ＭＰＵ１２に、縦置き画像表示モードを行うことを示すコマンドが入力されるものとする。図６及び図７は縦置き画像表示モードに係り、図６は各部の波形を示すタイミングチャートであり、図７はこの場合の交流化駆動における各画素毎の極性を示す説明図である。図６（ａ）は共通電極に印加する共通電位ＣＯＭを示し、図６（ｂ）は所定のデータ線に供給される表示データを示し、図６（ｃ）は第１番目の走査線に供給される走査信号を示し、図６（ｄ）は第２番目の走査線に供給される走査信号を示している。図７において、＋印は画素が正極性駆動されたことを示し、−印は画素が負極性駆動されたことを示している。なお、図７は交流化駆動を説明するためのものであり、画素数は実際とは異なる。
【００７０】
ＭＰＵ１２は縦置き画像表示モードに応じた制御信号を発振制御回路１７及びＶＲＡＭ制御回路１５に出力する。発振制御回路１７は、発振回路１８を制御してクロックを発生させる。このクロックは、データ線駆動回路２０及び走査線駆動回路２５に供給される。データ線駆動回路２０及び走査線駆動回路２１は、入力されたクロックを用いて各種タイミング信号を生成する。例えば、タイミング信号としては、水平同期信号、垂直同期信号等が生成される。
【００７１】
一方、ＶＲＡＭ制御回路１５は、ＶＲＡＭに記憶されている表示データを読み出して、データ線駆動回路２０に出力する。ＶＲＡＭ制御回路１５は、縦置き画像の表示データを走査順に読み出して出力する。
【００７２】
データ線駆動回路２０は、ガンマ補正回路２３によって表示データをガンマ補正し、ＬＣＤ駆動回路２２は変調後の信号を、タイミング制御回路２４からのタイミング信号のタイミングでデータ線に書き込む。この場合には、データ線駆動回路２０はライン反転駆動による表示データを出力する。
【００７３】
また、走査線駆動回路２１は、ＬＣＤ駆動回路２５がタイミング制御回路２４からのタイミング信号のタイミングで走査信号を走査線に書き込む。これにより、表示領域３７の各ラインが順次選択され、データ線から供給された信号に応じて、各画素が駆動される。こうして、液晶の透過率が画素毎に制御されて階調表示が行われる。
【００７４】
図６（ａ）〜（ｃ）に示すように、第１走査線にハイレベルの走査信号が供給される期間において、共通電極の共通電位ＣＯＭは正極性であり、データ線に供給される表示データは負極性である。また、図６（ａ），（ｂ），（ｄ）に示すように、第２走査線にハイレベルの走査信号が供給される期間において、共通電極の共通電位ＣＯＭは負極性であり、データ線に供給される表示データは正極性である。
【００７５】
即ち、この場合には、図７に示すように、第１ラインは負極性駆動され、第２ラインは正極性駆動される。以後、負極性駆動と正極性駆動とが１ライン毎に繰り返され、１ライン反転駆動が行われる。
【００７６】
この縦置き画像表示モードにおいては、図１５に示すように、いずれのラインにおいても、走査線延在方向（図１５のＡ方向）には、左目用画像Ｌ１と右目用画像Ｒ１とが交互に配置される。従って、奇数ラインでは、両目とも負極性駆動された画素を観察し、偶数ラインでは両目とも正極性駆動された画素を観察する。即ち、立体画像表示及び２Ｖｉｅｗ表示のいずれの場合にも、縦置き画像表示モードにおいて、ライン反転した画像を観察することができ、フリッカの発生を十分に抑制することができる。
【００７７】
次に、ＭＰＵ１２に、横置き画像表示モードを行うことを示すコマンドが入力されるものとする。図８及び図９は横置き画像表示モードに係り、図８は各部の波形を示すタイミングチャートであり、図９はこの場合の交流化駆動における各画素毎の極性を示す説明図である。図８及び図９は夫々図６及び図７と対応した図となっている。
【００７８】
ＭＰＵ１２は横置き画像表示モードに応じた制御信号を発振制御回路１７及びＶＲＡＭ制御回路１５に出力する。発振制御回路１７は、発振回路１８を制御してクロックを発生させる。このクロックは、データ線駆動回路２０及び走査線駆動回路２５に供給される。データ線駆動回路２０及び走査線駆動回路２１は、入力されたクロックを用いて各種タイミング信号を生成する。
【００７９】
一方、ＶＲＡＭ制御回路１５は、ＶＲＡＭに記憶されている表示データを読み出して、データ線駆動回路２０に出力する。ＶＲＡＭ制御回路１５は、横置き画像の表示データを走査順に読み出して出力する。
【００８０】
データ線駆動回路２０は、ガンマ補正回路２３によって表示データをガンマ補正し、ＬＣＤ駆動回路２２は変調後の信号を、タイミング制御回路２４からのタイミング信号のタイミングでデータ線に書き込む。この場合には、データ線駆動回路２０は２ライン反転駆動による表示データを出力する。
【００８１】
また、走査線駆動回路２１は、ＬＣＤ駆動回路２５がタイミング制御回路２４からのタイミング信号のタイミングで走査信号を走査線に書き込む。これにより、表示領域３７の各ラインが順次選択され、データ線から供給された信号に応じて、各画素が駆動される。こうして、液晶の透過率が画素毎に制御されて階調表示が行われる。
【００８２】
図８（ａ）〜（ｃ）に示すように、第１走査線にハイレベルの走査信号が供給される期間において、共通電位ＣＯＭは正極性であり、表示データは負極性である。また、図８（ａ），（ｂ），（ｄ）に示すように、第２走査線にハイレベルの走査信号が供給される期間においても、共通電位ＣＯＭは正極性であり、表示データは負極性である。即ち、この場合には、図９に示すように、第１ライン及び第２ラインともに負極性駆動される。
【００８３】
更に、次の第３，第４走査線にハイレベルの走査信号が供給される期間においては、共通電位ＣＯＭは負極性であり、表示データは正極性である。即ち、この場合には、第３ライン及び第４ラインともに正極性駆動される。以後同様に、横置き画像表示モードにおいては、２ライン毎に極性が切換わる２ライン反転駆動が採用される。
【００８４】
この横置き画像表示モードにおいては、図１６に示すように、走査線延在方向（図１６のＡ方向）には、奇数ラインにおいて左目用画像Ｌ２が表示され、偶数ラインにおいて右目用画像Ｒ２が表示される。しかし、本実施の形態においては、４ラインのうち２ラインは一方極性の画像が書き込まれ、残りの２ラインは他方極性の画像が書き込まれる。即ち、第１，第２ラインの左目用画像Ｌ２，右目用画像Ｒ２は、いずれも正極性で、第３，第４ラインの左目用画像Ｌ２，右目用画像Ｒ２は、いずれも負極性である。
【００８５】
このように、極性反転は１ラインおきに行われ、両目とも、正極性駆動された画素と負極性駆動された画素とを１ラインおきに観察することができる。即ち、立体画像表示及び２Ｖｉｅｗ表示のいずれの場合にも、横置き画像表示モードにおいて、２ライン反転した画像を観察することができ、フリッカの発生を十分に抑制することができる。
【００８６】
更に、本実施の形態においては、横置き画像表示モード時にはドット反転駆動を採用することもできる。図１０及び図１１はドット反転駆動を採用した横置き画像表示モードに係り、図１０は各部の波形を示すタイミングチャートであり、図１１はこの場合の交流化駆動における各画素毎の極性を示す説明図である。図１０及び図１１は夫々図８及び図９と対応した図となっている。
【００８７】
なお、ドット反転駆動を実現するためには、同一ラインの隣接する画素同士を正極性駆動又は負極性駆動する必要がある。従って、ドット反転を実現するためには、奇数ラインと偶数ラインとで異なる極性の表示データを各画素に供給可能な構成にする必要がある。なお、この構成は、従来のドット反転駆動を採用した液晶表示パネルと同様である。
【００８８】
この場合のＶＲＡＭ制御回路１５の表示データの読み出し順は、図８及び図９の場合と同様である。データ線駆動回路２０は、ガンマ補正回路２３によって表示データをガンマ補正し、ＬＣＤ駆動回路２２は変調後の信号を、タイミング制御回路２４からのタイミング信号のタイミングでデータ線に書き込む。この場合には、データ線駆動回路２０はドット反転駆動による表示データを出力する。
【００８９】
図１０に示すように、第１走査線にハイレベルの走査信号が供給される期間において、奇数データ線の表示データは負極性であり、偶数データ線の表示データは正極性である。また、図１０に示すように、第２走査線にハイレベルの走査信号が供給される期間においては、奇数データ線の表示データは正極性であり、偶数データ線の表示データは負極性である。こうして、この場合には、図１１に示すように、ドット反転駆動が行われる。
【００９０】
この横置き画像表示モードにおいては、図１６に示すように、走査線延在方向（図１６のＡ方向）には、奇数ラインにおいて左目用画像Ｌ２が表示され、偶数ラインにおいて右目用画像Ｒ２が表示される。しかし、本実施の形態においては、ドット反転駆動を採用しているので、両目とも、正極性駆動された画素と負極性駆動された画素とを上下に隣接する２画素によって観察することができる。即ち、立体画像表示及び２Ｖｉｅｗ表示のいずれの場合にも、横置き画像表示モードにおいて、ライン反転と同様の極性反転した画像を観察することができ、フリッカの発生を十分に抑制することができる。
【００９１】
このように本実施の形態においては、表示モードに応じて、交流化駆動の方法を変更している。これにより、両目のいずれの目においても、１画面内で正極性駆動された画素と負極性駆動された画素とを同時に観察することができ、フリッカを抑制することができる。
【００９２】
なお、上記実施の形態においては、文献２の技術を用いて立体表示及び２Ｖｉｅｗ表示を行う例について説明したが、縦置き画像表示と横置き画像表示のいずれでも立体表示及び２Ｖｉｅｗ表示を可能にするものであれば、交流化駆動に関する構成を除き、自由に構成の変更が可能である。
【００９３】
また、本発明の電気光学装置は、パッシブマトリクス型の液晶表示パネルだけでなく、アクティブマトリクス型の液晶パネル（例えば、ＴＦＴ（薄膜トランジスタ）やＴＦＤ（薄膜ダイオード）をスイッチング素子として備えた液晶表示パネル）にも同様に適用することが可能である。また、上記実施形態の液晶パネルは所謂ＣＯＦ（Chip On Film）タイプの構造を有しているが、ＩＣチップを直接実装する構造を有する液晶パネルであっても構わない。
【図面の簡単な説明】
【００９４】
【図１】本発明の一実施の形態に係る電気光学装置を示すブロック図。
【図２】液晶表示装置の全体構造を概略的に示す斜視図。
【図３】画素を構成する素子基板３２上の素子の等価回路図。
【図４】縦置き画像を説明するための説明図。
【図５】横置き画像を説明するための説明図。
【図６】ライン反転駆動を採用した縦置き画像表示モードにおける各部の波形を示すタイミングチャート。
【図７】交流化駆動における各画素毎の極性を示す説明図。
【図８】２ライン反転駆動を採用した横置き画像表示モードにおける各部の波形を示すタイミングチャート。
【図９】図８の例において交流化駆動における各画素毎の極性を示す説明図。
【図１０】ドット反転駆動を採用した横置き画像表示モードにおける各部の波形を示すタイミングチャート。
【図１１】図１０の例において交流化駆動における各画素毎の極性を示す説明図。
【図１２】文献２の画像表示装置を示す分解斜視図。
【図１３】図１２に示す表示パネルを縦向き（図１２の状態）に配置した場合の立体画像表示時において観察者が表示パネルを見た状態を上方から示した図。
【図１４】図１２に示す表示パネルを横向き（図１２を９０°回転させた状態）に配置した場合の立体画像表示時において観察者が表示パネルを見た状態を上方から示した図。
【図１５】図１２に示す画像表示装置の構成を説明するための図。
【図１６】図１２に示す画像表示装置の構成を説明するための図。
【図１７】図１２に示した本発明の一実施形態による画像表示装置の表示パネルを縦向きに配置した場合の偏光制御液晶パネルの部分拡大図。
【図１８】図１２に示した本発明の一実施形態による画像表示装置の偏光制御液晶パネルの分解斜視図。
【符号の説明】
【００９５】
１２…ＭＰＵ、１５…ＶＲＡＭ制御回路、１６…ＶＲＡＭ、１７…発振制御回路、１８…発振回路、２０…データ線駆動回路、２１…走査線駆動回路。  
【図１】
2007094027.tif 000003
【図２】
2007094027.tif 000004
【図３】
2007094027.tif 000005
【図４】
2007094027.tif 000006
【図５】
2007094027.tif 000007
【図６】
2007094027.tif 000008
【図７】
2007094027.tif 000009
【図８】
2007094027.tif 000010
【図９】
2007094027.tif 000011
【図１０】
2007094027.tif 000012
【図１１】
2007094027.tif 000013
【図１２】
2007094027.tif 000014
【図１３】
2007094027.tif 000015
【図１４】
2007094027.tif 000016
【図１５】
2007094027.tif 000017
【図１６】
2007094027.tif 000018
【図１７】
2007094027.tif 000019
【図１８】
2007094027.tif 000020